(57)【要約】      （修正有）【課題】物品を収容した状態で安定的に缶容器に固定でき、かつコップとしての利便性の高い缶容器用キャップを提供する。【解決手段】キャップ１は、コップ３とコップと嵌合するリング状の取付部材２を備え、取付部材は、コップの開口淵部と嵌合する凸型の嵌合部と、缶容器４の上縁に係止する爪部を有する。コップの材質はポリプロピレンであり、取付部材の材質はポリエチレン又は軟質ポリ塩化ビニルであることが好ましい。コップ及び取付部材の最大の外径は缶容器の外径と略同一、又は、６６ｍｍ以下であることが好ましい。また、爪部は、少なくとも３つの係合爪から成ることが好ましい。【選択図】図４
0003226524.tif 000002
【実用新案登録請求の範囲】
【請求項１】
コップと該コップと嵌合するリング状の取付部材を備え、
前記取付部材は、
前記コップの開口淵部と嵌合する凸型の嵌合部と、缶容器の上縁に係止する爪部が設けられたことを特徴とする缶容器用キャップ。
【請求項２】
前記コップの材質はポリプロピレンであり、前記取付部材の材質はポリエチレン又は軟質ポリ塩化ビニルであることを特徴とする請求項１に記載の缶容器用キャップ。
【請求項３】
前記コップ及び前記取付部材の最大の外径は、前記缶容器の外径と略同一、又は、６６ｍｍ以下であることを特徴とする請求項１又は２に記載の缶容器用キャップ。
【請求項４】
前記爪部は、少なくとも３つの係合爪から成ることを特徴とする請求項１〜３の何れかに記載の缶容器用キャップ。
【請求項５】
請求項１〜４の何れかの缶容器用キャップを構成するリング状の取付部材。
【考案の詳細な説明】
【技術分野】
【０００１】
本考案は、飲料缶などの缶容器の上部に物品を取り付ける技術に関するものである。
【背景技術】
【０００２】
一般に、自動販売機などで飲料水が入った飲料缶が多く販売されている。飲料缶を販売する際には、購入者の購買意欲を高めるために、様々な工夫が施されている。例えば、飲料缶の容器に物品を添え付けるプレミアムケースが取り付けられた缶物品が知られている（特許文献１を参照）。
上記特許文献１に開示された缶物品は、円筒状の缶容器の上縁に、缶容器に対応するキャップを脱着可能に取り付けるものである。これによれば、キャップ内に物品を収容して、販売するといったことが可能である。
しかしながら、上記特許文献１に開示された缶物品は、あくまでもキャップ内部に物品を収容することを目的としているため、キャップ縁部に缶容器に係合するための係合爪が設けられており、例えば、キャップをコップとして利用しようとすると、口当たりが悪く、コップとしては利用できないという問題がある。
【０００３】
そこで、缶容器の上端に、おつまみ等を収容したコップの開口部が向かい合うように取り付けられた缶飲料が知られている（特許文献２を参照）。
上記特許文献２に開示された缶飲料では、上記特許文献１に開示された缶物品とは異なり、粘着テープやセロハン等による包装により缶容器とコップを固定する構成が開示されており、これによれば、コップとしての利便性は向上する。
しかしながら、粘着テープやセロハン等を用いる固定方法では、コストが高くなり、しかも再利用できないという問題がある。
また、コップに缶容器の上縁の形状に合わせた凹みを持たせ取り付ける構成も開示されているが、コップ自体に凹みを持たせるため、汚れ等が付着しやすく、やはり再利用には向かないという問題がある。
【先行技術文献】
【特許文献】
【０００４】
【特許文献１】実用新案登録第３０５１８７６号公報
【特許文献２】実開平６−３９７６５号公報
【考案の概要】
【考案が解決しようとする課題】
【０００５】
上記状況に鑑みて、本考案は、物品を収容した状態で安定的に缶容器に固定でき、かつコップとしての利便性の高い缶容器用キャップを提供することを目的とする。
【課題を解決するための手段】
【０００６】
上記目的を達成すべく、本考案の缶容器用キャップは、コップと該コップと嵌合するリング状の取付部材を備え、取付部材は、コップの開口淵部と嵌合する凸型の嵌合部と、缶容器の上縁に係止する爪部が設けられる。
コップ自体には、爪部が設けられていないため、飲み口となるコップの開口淵部を口当たりの良い構造することができる。またコップに爪部が設けられないことにより、汚れが付着し難く、洗浄もしやすいため、再利用が容易となる。
【０００７】
本考案の缶容器用キャップにおいて、コップの材質はポリプロピレンであり、取付部材の材質はポリエチレン又は軟質ポリ塩化ビニルであることが好ましい。
ポリエチレン又は軟質ポリ塩化ビニルは、比較的柔軟性が高いため、取付部材の缶容器への取り付けが容易である。また、ポリプロピレンは、ポリエチレン又は軟質ポリ塩化ビニルよりも硬い素材であるため、缶容器に取付部材を取り付けた後に、コップを取付部材に嵌合して取り付けることで、取付部材と缶容器の固定状態をより強固のものとできる。
【０００８】
本考案の缶容器用キャップにおいて、コップ及び取付部材の最大の外径は、缶容器の外径と略同一、又は、６６ｍｍ以下であることが好ましい。
例えば、缶容器用キャップの使用対象となる缶容器が、アルミニウム製の飲料缶である場合、一般には、２５０〜５００ｍｌサイズの飲料缶の缶胴の外径は、最大が６６ｍｍとされている。したがって、コップ及び取付部材の最大の外径が、缶容器の外径と略同一、又は、６６ｍｍ以下とされることにより、缶容器に本考案の缶容器用キャップを取り付けた状態で、自動販売機に収容し販売することが容易となる。
【０００９】
本考案の缶容器用キャップにおいて、爪部は、少なくとも３つの係合爪から成る。リング状の取付部材に、少なくとも略１２０°間隔で係合爪を設けることで、取付部材を缶容器に安定的に取り付けることが可能である。
なお、爪部は、５つ又は６つ設ける方が、よりしっかりと缶容器に係合できることから好ましい。
【００１０】
本考案の取付部材は、上記の何れかの缶容器用キャップを構成するリング状の部材である。
【考案の効果】
【００１１】
本考案によれば、物品を収容した状態で安定的に缶容器に固定でき、かつコップとしての利便性を向上できるといった効果を有する。
【図面の簡単な説明】
【００１２】
【図１】缶容器用キャップの正面図
【図２】取付部材の外観図
【図３】コップの外観図
【図４】缶容器用キャップの缶容器への取付説明図
【図５】取付部材の缶容器への取付イメージ図
【図６】缶容器用キャップの使用イメージ図
【図７】缶容器用キャップの取付フロー図
【考案を実施するための最良の形態】
【００１３】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１４】
図１は、缶容器用キャップの正面図を示している。図１に示すように、缶容器用キャップ１は、取付部材２及びコップ３から成る。取付部材２とコップ３を固定する際には、図２に示す取付部材２の凸部２ｂと、図３に示すコップ３の開口淵部３ｂを嵌合し、開口淵部３ｂを基部２ａに当接させて固定する。取付部材２の材質はポリエチレンであり、コップ３の材質はポリプロピレンである。
【００１５】
図２は取付部材の外観図であり、（１）は正面図、（２）は平面図を示している。図２（１）に示すように、取付部材２の基部２ａには凸部２ｂが形成され、図２（２）に示すように、凸部２ｂ上には８個の係合爪２ｃが設けられている。
【００１６】
図３はコップの外観図であり、（１）は斜視図、（２）は上下反転させた状態での正面図を示している。図３（１）に示すコップ３の上端部は、図３（２）に示すように、上下反転させてコップとして使用する際には、底部３ａとなる。コップ３は、図３（１）及び（２）に示す形状に限られず、開口淵部３ｂが取付部材の凸部２ｂと嵌合し、基部２ａと当接して固定し得る形状であればよい。したがって、例えば、円錐台形状や略半球形状でもよい。
【００１７】
図４は、缶容器用キャップの缶容器への取付説明図を示している。また、図７は、缶容器用キャップの取付フロー図を示している。図４に示す缶容器４は、飲料缶である。図４に示すように、缶容器用キャップ１を缶容器４へ取り付ける際には、組み立てられた缶容器用キャップ１を缶容器４へ取り付けるのではなく、各部材を１つずつ缶容器４へ取り付ける。すなわち、図７に示すように、まず缶容器４に取付部材２を取り付け（ステップＳ０１）、その後、取付部材２にコップ３を嵌合して取り付ける（ステップＳ０２）。
【００１８】
図５は、取付部材の缶容器への取付イメージ図であり、（１）は取り付け時、（２）は取り付け後、また（３）は取付部材を取り付け後にコップを被せて固定した状態を断面イメージで示している。図５（１）に示すように、缶容器４に取付部材２を上方から取り付ける場合、缶容器４の上縁４ｂは、盛り上がった形状となっているため、軟性の樹脂であるポリエチレンから成る係合爪２ｃはやや撓りながら上縁４ｂの形状に沿って下方に移動し、図５（２）に示すように、上縁４ｂと胴部４ａの境目に嵌ることとなる。凸部２ｂについても、係合爪２ｃと共にやや撓りながら下方に移動し、胴部４ａに当接する。このように、ポリエチレンから成る取付部材２は可撓性を有するため、容易に取り付け又は取り外しを行うことができるという利点がある。
図５（３）に示すように、缶容器４に取付部材２を取り付けた後、取付部材２にコップ３を嵌合して取り付ける。コップ３は比較的硬質の樹脂であるポリプロピレンから成るため、コップ３の取り付け後は、凸部２ｂ及び係合爪２ｃは外側に向けて撓り難くなり、係合爪２ｃが上縁４ｂと胴部４ａの境目に食い込んだ状態を保持できることになる。取付部材２とコップ３は、摩擦力により一度取り付けたコップ３が人の手によらずに容易に脱落することはないが、人の手では容易に取り外すことが可能な構造となっている。
【００１９】
図６は、缶容器用キャップの使用イメージ図を示している。図６に示すように、缶容器４には、缶容器用キャップ１が取り付けられている。また、コップ３の内側には物品５が収容されている。これは、缶容器４に取付部材２を取り付けた後、取付部材２にコップ３を嵌合して取り付ける際に、コップ３の内側に物品５を収容した状態で取り付けたものである。これとは異なり、例えば、缶容器４の上に物品５を載置した状態でコップ３を嵌合して取り付けることでもよい。
【００２０】
缶容器４の胴部４ａの直径Ｒ２は６６ｍｍである。これに対して、取付部材２及びコップ３の直径Ｒ１は６４ｍｍとなっており、缶容器４に缶容器用キャップ１が取り付けられた状態で自動販売機に収容することが可能なサイズとなっている。
図６に示すように、物品５を収容した状態で、缶容器４に缶容器用キャップ１を取り付けて販売することで、物品５付きの飲料缶として、付加価値を備えた飲み物をユーザに提供することができる。
ユーザは飲用時においては、缶容器用キャップ１を構成するコップ３を、キャップではなくコップとして利用できる。また、飲用後においては、別の缶容器に缶容器用キャップ１を取り付けて再利用することも可能である。
【産業上の利用可能性】
【００２１】
本考案は、飲料缶などの缶容器の上部に物品を取り付けるためのキャップや、飲料を注ぐためのコップとして有用である。
【符号の説明】
【００２２】
１    缶容器用キャップ
２    取付部材
２ａ  基部
２ｂ  凸部
２ｃ  係合爪
３    コップ
３ａ  底部
３ｂ  開口淵部
４    飲料缶
４ａ  胴部
４ｂ  上縁
５    物品
Ｒ    直径
【図１】
0003226524.tif 000003
【図２】
0003226524.tif 000004
【図３】
0003226524.tif 000005
【図４】
0003226524.tif 000006
【図５】
0003226524.tif 000007
【図６】
0003226524.tif 000008
【図７】
0003226524.tif 000009